(57)【特許請求の範囲】
【請求項１】
地盤内のボーリング孔内をパッカーで閉塞した試験区間と、
前記ボーリング孔の外部と前記試験区間とをつなぐ送水用導管および揚水用導管と、
前記送水用導管の途中に設置された送水ポンプおよび前記揚水用導管の途中に設置された揚水ポンプと、
前記試験区間内部あるいは近傍に設けられた水圧計と、
前記水圧計で計測された水圧に基づいて前記送水ポンプを制御する制御部と、を具備し、
前記制御部が、前記水圧計で計測された水圧に基づいて前記送水ポンプまたは前記揚水ポンプを制御しつつ、前記ボーリング孔の外部と前記試験区間との間でトレーサを送水および揚水し、
前記送水用導管と前記揚水用導管の端部は、前記ボーリング孔の外部に設置したトレーサ水槽につながり、前記トレーサ水槽と前記試験区間の間で送水・揚水したトレーサを循環させることを特徴とするトレーサ試験装置。
【請求項２】
地盤内のボーリング孔内をパッカーで閉塞した試験区間と、
前記ボーリング孔の外部と前記試験区間とをつなぐ送水用導管および揚水用導管と、
前記送水用導管の途中に設置された送水ポンプおよび前記揚水用導管の途中に設置された揚水ポンプと、
前記揚水用導管の途中に設けられ、気体に封入された空気室と、
前記空気室内の気体と液体の差圧を測定する差圧計と、
前記差圧計の圧力に基づいて前記送水ポンプまたは前記揚水ポンプを制御する制御部と、
具備し、
前記差圧計の圧力に基づいて前記送水ポンプまたは前記揚水ポンプを制御しつつ、前記ボーリング孔の外部と前記試験区間との間でトレーサを送水および揚水し、
前記送水用導管と前記揚水用導管の端部は、前記ボーリング孔の外部に設置したトレーサ水槽につながり、前記トレーサ水槽と前記試験区間の間で送水・揚水したトレーサを循環させることを特徴とするトレーサ試験装置。
【請求項３】
地盤内のボーリング孔内をパッカーで閉塞した試験区間と、
前記ボーリング孔の外部と前記試験区間とをつなぐ送水用導管および揚水用導管と、
前記送水用導管の途中に設置された送水ポンプおよび前記揚水用導管の途中に設置された揚水ポンプと、
前記送水用導管の途中に設けられ、気体に封入された空気室と、
前記空気室内の気体と液体の差圧を測定する差圧計と、
前記差圧計の圧力に基づいて前記送水ポンプまたは前記揚水ポンプを制御する制御部と、
具備し、
前記差圧計の圧力に基づいて前記送水ポンプまたは前記揚水ポンプを制御しつつ、前記ボーリング孔の外部と前記試験区間との間でトレーサを送水および揚水することを特徴とするトレーサ試験装置。
【請求項４】
前記空気室近傍に設けられた圧力制御部をさらに具備し、前記差圧計の圧力に基づいて前記圧力制御部で前記空気室内部の空気圧を制御することを特徴とする請求項２または請求項３記載のトレーサ試験装置。
【請求項５】
前記試験区間近傍に設けられた水圧計をさらに具備することを特徴とする請求項４に記載されたトレーサ試験装置。
【請求項６】
前記制御部は、前記送水ポンプまたは前記揚水ポンプの回転数またはサーボバルブの開閉を調節して流量を制御することを特徴とする請求項１から請求項５の何れかに記載されたトレーサ試験装置。
【請求項７】
前記試験区間近傍に設けられた水質計をさらに具備することを特徴とする請求項１から請求項６の何れかに記載されたトレーサ試験装置。
【請求項８】
地盤にボーリング孔を削孔し、
前記ボーリング孔内をパッカーで閉塞して試験区間を設け、
前記ボーリング孔内に設置したトレーサ試験装置でトレーサを投入し、
前記トレーサ試験装置で前記トレーサを回収し、
前記試験区間での前記トレーサの移動状況の情報を取得する単一孔トレーサ試験方法であって、
前記投入・回収するトレーサは前記ボーリング孔の外部に設置したトレーサ水槽と前記試験区間との間で循環させることを特徴とする単一孔トレーサ試験方法。
【請求項９】
前記トレーサ試験装置は、請求項７に記載されたトレーサ試験装置であることを特徴とする請求項８記載の単一孔トレーサ試験方法。
【発明の詳細な説明】
【０００１】
【発明の属する技術分野】
本発明は、地下水中の物質移行特性を原位置において評価するトレーサ試験に使用するトレーサ試験装置および単一孔トレーサ試験方法に関するものである。
【０００２】
【従来の技術】
従来、高レベル放射性廃棄物の地層処分や、一般廃棄物処分場周辺の地下水汚染の評価においては、地盤内の地下水の流れの評価と共に、地下水中に溶解した物質の移行特性の評価が不可欠となる。物質移行特性を特定するには、原位置にてトレーサ試験を行い、データを取得する必要がある。
【０００３】
トレーサ試験として、試験目的により決定した地山内の所定部分にボーリング孔を設けて自然地下水と識別可能な溶液（トレーサ）を投入し、自然地下水流や試験において人為的に与える地下水流によるトレーサの移動状況（到達時間、トレーサ濃度の経時変化など）を別のボーリング孔内で観測する方法がある。
【０００４】
図５に示すように、透水性が高い砂質地盤の帯水層１０４では、地盤１０１に掘削した注入孔１０３、観測孔１０５の２本のボーリング孔の全長を試験区間として用い、トレーサ試験を行う。注入孔１０３から投入したトレーサ１０６は、自然地下水流や試験において人為的に与える地下水流により矢印Ｅの方向に移動する。このトレーサ１０６の移動状況を観測孔１０５で観測する。
【０００５】
図６に示すように、透水性が低い岩盤や単一亀裂等、水みち１１６が限定された試験においては、地盤１０１に掘削した注入孔１０３、観測孔１０５の所定部分の上下にそれぞれパッカー１０７とパッカー１０９、パッカー１０８とパッカー１１０を設けて試験区間とし、トレーサ試験を行う。注入孔１０３に設置したトレーサ試験装置１１３を用いて投入したトレーサは、自然地下水流や試験において人為的に与える地下水流により、水みち１１６を矢印Ｆの方向に移動する。トレーサが拡散した後、観測孔１０５に設置したトレーサ試験装置１１５を用いて揚水し、トレーサの移動状況を観測する。
【０００６】
図７は、従来のトレーサ試験装置１１３の概略図である。注入孔１０３にトレーサを投入するには、（１）トレーサを地表に位置するトレーサ水槽１３１から送水ポンプ１３３で圧送し、送水用導管１３７ａ、送水用導管１３７ｂを通して試験区間１１１に到達させる。送水用導管１３７ａと送水用導管１３７ｂの間には注水流量計１３５を設け、送水量を測定する。試験区間１１１の水圧は、内部に設置した水圧計１１７で検出し、ケーブル１１９を介して圧力計測機器１２１で測定する。試験区間１１１のトレーサ濃度は、内部に設置した水質計１２３で検出し、ケーブル１２５を介して水質計測機器１２７で測定する。
【０００７】
また、（２）送水用導管と揚水用導管を設け、送水ポンプと揚水ポンプを用いて、揚水用導管の地表部付近でのバルブの開閉や揚水ポンプの稼動により揚水流量を調整しながらトレーサを循環させる方法がある（図示せず）。
【０００８】
トレーサ試験として、図８に示すように、１本のボーリング孔（単一孔）１４３を用いる単一孔トレーサ試験方法もある。単一孔トレーサ試験方法は、（３）透水性が高い砂質地盤の帯水層１４７を対象とし、ボーリング孔１４３の全長を試験区間として実施する。地盤１４１にボーリング孔１４３を掘削し、トレーサ試験装置（図示せず）を用いてトレーサ１４５を投入し、一定期間が経過して地下水流によりトレーサ１４５が拡散した後、トレーサ試験装置（図示せず）を用いてボーリング孔１４３から揚水してトレーサ１４５を回収し、トレーサの移動状況を確認する。
【０００９】
【発明が解決しようとする課題】
しかしながら、（１）のトレーサ投入装置では、送水用導管内で水・トレーサ間に拡散が生じて濃度勾配が低下するため、試験区間にトレーサの迅速な濃度変化を与えられない。また、地下水による希釈や地下水流による置き換えのため、トレーサの濃度が低下する。（２）は（１）の問題点を解決するための方法であるが、揚水用導管での水位分の水頭や圧力損失により、試験区間の初期間隙水圧付近あるいはそれ以下の圧力設定が困難となる。
【００１０】
図５および図６に示す、複数孔によるトレーサ試験方法では、一定期間でトレーサが到達可能な距離に注入孔１０３と観測孔１０５を配置する必要があり、（３）の方法は、１本のボーリング孔１４３のみを配置すればよい。
【００１１】
本発明は、このような問題に鑑みてなされたもので、その目的とするところは、不均質な地盤中に試験区間を設定でき、試験区間の水圧およびトレーサ濃度を任意に高精度に設定できるトレーサ投入装置および単一孔トレーサ試験方法を提供することにある。
【００１２】
【課題を解決するための手段】
前述した目的を達成するために第１の発明は、地盤内のボーリング孔内をパッカーで閉塞した試験区間と、前記ボーリング孔の外部と前記試験区間とをつなぐ送水用導管および揚水用導管と、前記送水用導管の途中に設置された送水ポンプおよび前記揚水用導管の途中に設置された揚水ポンプと、前記試験区間内部あるいは近傍に設けられた水圧計と、前記水圧計で計測された水圧に基づいて前記送水ポンプを制御する制御部と、を具備し、前記制御部が、前記水圧計で計測された水圧に基づいて前記送水ポンプまたは前記揚水ポンプを制御しつつ、前記ボーリング孔の外部と前記試験区間との間でトレーサを送水および揚水し、前記送水用導管と前記揚水用導管の端部は、前記ボーリング孔の外部に設置したトレーサ水槽につながり、前記トレーサ水槽と前記試験区間の間で送水・揚水したトレーサを循環させることを特徴とするトレーサ試験装置である。
【００１３】
第１の発明では、試験区間内の水圧を計測し、計測値をフィードバックして送水ポンプまたは揚水ポンプの流量を制御し、試験区間内の水圧を設定する。送水ポンプまたは揚水ポンプの流量は、回転数あるいはサーボバルブの開閉の変化により調節される。
【００１４】
また、第２の発明は、地盤内のボーリング孔内をパッカーで閉塞した試験区間と、前記ボーリング孔の外部と前記試験区間とをつなぐ送水用導管および揚水用導管と、前記送水用導管の途中に設置された送水ポンプおよび前記揚水用導管の途中に設置された揚水ポンプと、前記揚水用導管の途中に設けられ、気体に封入された空気室と、前記空気室内の気体と液体の差圧を測定する差圧計と、
前記差圧計の圧力に基づいて前記送水ポンプまたは前記揚水ポンプを制御する制御部と、具備し、前記差圧計の圧力に基づいて前記送水ポンプまたは前記揚水ポンプを制御しつつ、前記ボーリング孔の外部と前記試験区間との間でトレーサを送水および揚水し、前記送水用導管と前記揚水用導管の端部は、前記ボーリング孔の外部に設置したトレーサ水槽につながり、前記トレーサ水槽と前記試験区間の間で送水・揚水したトレーサを循環させることを特徴とするトレーサ試験装置である。
【００１５】
第３の発明は、地盤内のボーリング孔内をパッカーで閉塞した試験区間と、前記ボーリング孔の外部と前記試験区間とをつなぐ送水用導管および揚水用導管と、前記送水用導管の途中に設置された送水ポンプおよび前記揚水用導管の途中に設置された揚水ポンプと、前記送水用導管の途中に設けられ、気体が封入された空気室と、前記空気室内の気体と液体の差圧を測定する差圧計と、前記差圧計の圧力に基づいて前記送水ポンプまたは前記揚水ポンプを制御する制御部とを具備し、前記差圧計の圧力に基づいて前記送水ポンプまたは前記揚水ポンプを制御しつつ、前記ボーリング孔の外部と前記試験区間との間でトレーサを送水および揚水することを特徴とするトレーサ試験装置である。
【００１６】
第２および第３の発明では、試験区間に連結した空気室内の気体と液体の差圧を計測し、計測値をフィードバックして送水ポンプまたは揚水ポンプを制御し、試験区間内の水圧を設定する。送水ポンプまたは揚水ポンプの流量は、回転数あるいはサーボバルブの開閉の変化により調節される。
【００１７】
また、第４の発明は、地盤にボーリング孔を削孔し、前記ボーリング孔内をパッカーで閉塞して試験区間を設け、前記ボーリング孔内に設置したトレーサ試験装置でトレーサを投入し、前記トレーサ試験装置で前記トレーサを回収し、前記試験区間での前記トレーサの移動状況の情報を取得する単一孔トレーサ試験方法であって、前記投入・回収するトレーサは前記ボーリング孔の外部に設置したトレーサ水槽と前記試験区間との間で循環させることを特徴とする単一孔トレーサ試験方法である。
【００１８】
【発明の実施の形態】
以下、図面に基づいて、本発明の実施の形態を詳細に説明する。図１は、本発明の第１の実施の形態に係るトレーサ試験装置Ａの概略図である。
図１に示すように、地盤２に削孔したボーリング孔１の所定区間の上下を、ゴム製等のパッカー５を用いて閉塞し、試験区間３とする。
【００１９】
地表部には、トレーサ水槽１９を設置する。トレーサ水槽１９は、トレーサ原液水槽１５および水水槽１７と導管を介して連結されている。トレーサ原液水槽１５内のトレーサ原液は一定濃度に管理し、水水槽１７内の水質は、試験区間近傍の地下水と同程度のものとする。このトレーサ原液と水とを混合し、トレーサ水槽１９内のトレーサの濃度を調整する。
【００２０】
トレーサ水槽１９から試験区間３への送水の経路は、トレーサ水槽１９の内部に設置した送水ポンプ２１、送水用導管２３ａ、注水流量計２５、送水用導管２３ｂで形成される。試験区間３からトレーサ水槽１９への揚水の経路は、揚水用導管２９ａ、試験区間３の近傍に設置した揚水ポンプ２７、揚水用導管２９ｂ、揚水流量計３１、揚水用導管２９ｃで形成される。導管には、ホースまたは管などを使用する。
【００２１】
トレーサ水槽１９で濃度調整したトレーサは、送水ポンプ２１により、送水経路を通って試験区間３まで送水される。送水量は注水流量計２５で測定される。注入孔側の試験区間３では、トレーサは地下水等と混合され、トレーサの一部はボーリング孔１より外部に流出し、観測孔側で観測される。また、トレーサは揚水ポンプ２７により、揚水経路を通ってトレーサ水槽１９まで揚水され、トレーサ水槽１９と試験区間３の間を循環する。揚水量は揚水流量計３１で測定される。
【００２２】
試験区間３の内部あるいは近傍には、地下水圧を測定する水圧計１１およびトレーサの濃度を測定する水質計１３を設置する。水圧計１１は、ケーブル３５ａ、圧力計測機器７、ケーブル３５ｂ、送水ポンプのサーボコントロール部３７、ケーブル３５ｃを介して送水ポンプ２１につながる。また、水質計１３はケーブル５９を介して水質計測機器９につながる。
【００２３】
水質計１３はトレーサの水質を計測する。トレーサの濃度は電気伝導度、ｐＨ、溶存酸素量などで特定できるため、水質計１３は、例えば電導度計とする。また、水質計１３として温度計を用いた場合、トレーサの循環機能により、電気電導度等の水質と同じように、試験区間への注入量によらず試験区間の水温を所定の値に設定することができる。水温測定を行うことで、水温をトレーサとしても使用可能である。
【００２４】
試験区間３に設置した水圧計１１で測定した水圧のデータは、ケーブル３５ｂを介して送水ポンプのサーボコントロール部３７に送られる。そして、データに基づくフィードバック信号がケーブル３５ｃを介して送水ポンプ２１に伝達される。トレーサ試験装置Ａは圧力計測機器７、水質計測機器９、水圧計１１、水質計１３、送水ポンプのサーボコントロール部３７等、図１に示された構成要素からなる。
【００２５】
次にトレーサ試験装置Ａの動作について説明する。
トレーサ原液水槽１５のトレーサ原液と水水槽１７の水とをトレーサ水槽１９内で混合して濃度調整したトレーサを、送水ポンプ２１、送水用導管２３ａ、注水流量計２５、送水用導管２３ｂの順に通して試験区間３まで送水する。
【００２６】
同時に、揚水ポンプ２７を稼動させ、揚水用導管２９ａを通して揚水したトレーサを、さらに揚水用導管２９ｂ、揚水流量計３１、揚水用導管２９ｃの順に通してトレーサ水槽１９まで揚水する。
【００２７】
揚水ポンプ２７は、試験区間３から一定量で揚水を行う。試験区間３の水圧は、一定の揚水量に対する送水ポンプ２１の送水量で設定し、設定値が初期間隙水圧と等しければ揚水量＝送水量、初期間隙水圧より大きければ揚水量＜送水量、初期間隙水圧より小さければ揚水量＞送水量となる。トレーサの循環中は、送水ポンプ２１の流量を送水ポンプのサーボコントロール部３７によって制御することで試験区間３の水圧を設定値に保つ。
【００２８】
すなわち、トレーサがトレーサ水槽１９と試験区間３とを循環する間に、試験区間３に設置した水圧計１１を検出部として、ケーブル３５ａを介して圧力計測機器７で試験区間３の水圧を測定する。測定したデータを、ケーブル３５ｂを介して送水ポンプのサーボコントロール部３７に送る。
【００２９】
送水ポンプのサーボコントロール部３７は、水圧の測定データに基づくフィードバック信号を、ケーブル３５ｃを介して送水ポンプ２１に伝達する。そして、試験区間３の圧力が設定値に保たれるように送水ポンプ２１の回転数あるいはサーボバルブの開閉を調節し、流量を制御する。
【００３０】
このように、第１の実施の形態では、送水ポンプ２１のサーボコントロールを行うことにより、試験区間３の圧力を任意に設定できる。また、トレーサを循環させることにより、地山の透水性によらず試験区間３のトレーサ濃度を所定の値に保つことができる。
【００３１】
また、サーボコントロールの方法として、送水ポンプ２１の送水量を一定とし、水圧計１１と圧力計測機器７とを用いて測定した水圧に基づくフィードバック信号を揚水ポンプのサーボコントロール部（図示せず）に送り、揚水ポンプ２７の流量を制御する場合もある。
【００３２】
次に、第２の実施の形態について説明する。図２は、揚水系統に空気室を設置したトレーサ試験装置Ｂの概略図である。第２の実施の形態では、図２に示すように、第１の実施の形態に加えて、揚水経路の途中に空気室４３が設けられる。以下、第２の実施の形態において追加された機能について説明する。
【００３３】
空気室４３は、揚水用導管２９ａを介して試験区間３と、揚水用導管２９ｂを介して揚水ポンプ２７と連結される。空気室４３は、地表に設置した圧縮ガス供給装置４７につながる気体用導管４５を有し、内部には空気圧と水圧の差を測定する差圧計４９が設置される。差圧計４９は、ケーブル５５を介して圧力計測機器７につながれる。
【００３４】
気体用導管４５を通して、圧縮ガス供給装置４７から空気室４３にガスを供給または排出してガス圧を制御する。また、揚水ポンプ２７で一定量の揚水を行い、空気室４３内を、上部がガス５１、下部が液体５３の状態にする。試験区間３の水圧は、空気室４３内のガス圧により設定する。
【００３５】
トレーサの循環中は、空気室４３に設置した差圧計４９を検出部として圧力測定機器７で測定した水位のデータを、ケーブル３５ｂを介して送水ポンプのサーボコントロール部３７に送る。
【００３６】
送水ポンプのサーボコントロール部３７は、液体５３の水位のデータに基づくフィードバック信号を、ケーブル３５ｃを介して送水ポンプ２１に伝達する。そして、送水ポンプ２１の回転数あるいはサーボバルブの開閉を調節して流量を制御し、空気室４３内の水位を設定する。すなわち、試験区間３の水圧を設定する。
【００３７】
トレーサ試験装置Ｂでは、サーボコントロールの方法として、送水ポンプ２１のかわりに、揚水ポンプ２７の流量を制御し、空気室４３内の水位を設定する場合もある。
【００３８】
このように、第２の実施の形態では、揚水ポンプ２７と送水ポンプ２１のいずれかを一定流量とし、他方をサーボコントロールすることにより、試験区間３の水圧を任意に設定することができる。また、トレーサを循環させることにより、トレーサ濃度を多様に迅速に設定し、維持することができる。
【００３９】
次に、第３の実施の形態について説明する。図３は送水系統に空気室を設置したトレーサ試験装置Ｃの概略図である。第３の実施の形態は、第２の実施の形態とほぼ同様であるが、空気室４３が送水用導管２３ｃを介して試験区間３と連結され、送水用導管２３ｂ、注水流量計２５、送水用導管２３ａを介して送水ポンプ２１と連結される。即ち、空気室４３が送水経路の途中に設けられる。
【００４０】
尚、第１から第３のいずれの実施の形態でも、水圧計１１を試験区間３の内部に設置したが、試験区間３の近傍に設置することもできる。また、第１と第３の実施の形態の揚水用導管２９ｃ、第２の実施の形態の揚水用導管２９ｄの端部を、トレーサ水槽１９につなげず、そのまま排水したり、別の水槽につないでもよい。この場合も、送水と揚水を同時に行うことで、試験区間３のトレーサ濃度が制御される。
【００４１】
第１から第３の実施の形態は、複数のボーリング孔を用いたトレーサ試験方法において、トレーサの注入孔側としてのみではなく、受信する観測孔側としても使用できる。
【００４２】
次に、第４の実施の形態について説明する。図４は、単一孔トレーサ試験の概略図である。まず、岩盤等の地盤７２にボーリング孔７１を掘削し、試験対象となる亀裂面等の水みち７３を決定する。そして、水みち７３を含むボーリング孔７１の所定区間の上下を、ゴム製等のパッカー７５を用いて閉塞し、試験区間７９とする。
【００４３】
ボーリング孔７１にトレーサ試験装置７７を設置する。このトレーサ試験装置は、例えば第１の実施の形態のトレーサ試験装置Ａであり、図４のボーリング孔７１、パッカ−７５、試験区間７９は、それぞれ図１に示すボーリング孔１、パッカ−５、試験区間３に相当する。試験区間７９の間隙水圧を測定し、地表部のトレーサ水槽１９にトレーサを準備する。
【００４４】
注水ポンプ２１および揚水ポンプ２７を用いて、トレーサを試験区間７９とトレーサ水槽１９の間で循環させる。このとき、圧力計１０の測定データに基づいて、送水ポンプのサーボコントロール部３７により送水ポンプ２１の流量を制御し、試験区間７９の間隙水圧を維持する。試験区間７９のトレーサ濃度が一定となった後、任意の水圧および流量となるように送水ポンプ２１の流量を制御しつつ、トレーサを地盤７２に浸透させる。
【００４５】
トレーサの投入量が所定量に達した後、投入する溶液を地下水と同等な溶液に切り替え、この溶液を一定時間、地盤７２に浸透させる。そして、任意の水圧および流量で揚水を開始し、試験区間７９で、水質計１３を用いてトレーサの水質を観測する。トレーサの濃度変化等の移動状況の情報を取得し、物質移行解析を行い、物質移行特性を特定する。
【００４６】
このように、第４の実施の形態では、パッカ−７５で試験区間７９を設定できるため、１本のボーリング孔７１の任意の位置を対象として試験ができる。
また、第１から第３のいずれか実施の形態のトレーサ試験装置を使用することにより、任意の人工の地下水流を設定できるため、地下水流がない場所や遅い場所においても試験可能となり、水圧・流量やトレーサ濃度を管理できるので、精度よく試験が行える。
【００４７】
【発明の効果】
以上、詳細に説明したように、本発明によれば、不均質な地盤中に試験区間を設定でき、試験区間の水圧およびトレーサ濃度を任意に高精度に設定できるトレーサ投入装置および単一孔トレーサ試験方法を提供できる。
【図面の簡単な説明】
【図１】トレーサ試験装置Ａの概略図
【図２】揚水系統に空気室４３を設置したトレーサ試験装置Ｂの概略図
【図３】送水系統に空気室４３を設置したトレーサ試験装置Ｃの概略図
【図４】単一孔７１トレーサ試験の概略図
【図５】従来の注入孔１０３と観測孔１０５を用いたトレーサ試験の概略図
【図６】従来の注入孔１０３と観測孔１０５を用いたトレーサ試験の概略図
【図７】従来のトレーサ試験装置１１３の概略図
【図８】従来の単一孔１４３トレーサ試験の概略図
【符号の説明】
１………ボーリング孔
２………地盤
３………試験区間
５………パッカー
１１………水圧計
１３………水質計
１９………トレーサ水槽
２１………送水ポンプ
２３ａ、２３ｂ、２３ｃ………送水用導管
２７………揚水ポンプ
２９ａ、２９ｂ、２９ｃ………揚水用導管
３７………送水ポンプのサーボコントロール部
４１………揚水ポンプのサーボコントロール部
４３………空気室
４９………差圧計
７１………ボーリング孔
７２………地盤
７５………パッカ−
７９………試験区間
１０１………地盤
１０３………注入孔
１０５………観測孔
１１３………トレーサ投入装置
１４１………地盤
１４３………ボーリング孔
【図１】
0003808712.tif 000002
【図２】
0003808712.tif 000003
【図３】
0003808712.tif 000004
【図４】
0003808712.tif 000005
【図５】
0003808712.tif 000006
【図６】
0003808712.tif 000007
【図７】
0003808712.tif 000008
【図８】
0003808712.tif 000009